(57)【要約】      （修正有）【課題】ユニバーサル地上無線アクセス・ネットワーク（ＵＴＲＡＮ）におけるサービング汎用パケット無線サービス（ＧＰＲＳ）サポート・ノードＳＧＳＮのパケット交換（ＰＳ）ドメインにおいてショート・メッセージ・サービス（ＳＭＳ）を通信する手法を提供する。【解決手段】方法は、ＵＥがＰＳベースのＳＭＳをサポートしており、ＣＳドメインを介してＳＭＳサービスを受け取る場合にのみ、回線交換（ＣＳ）登録を行う旨を示す要求メッセージをユーザ装置（ＵＥ）からＳＧＳＮにおいて受け取る工程と、ＳＭＳオーバ非アクセス層（ＮＡＳ）がＳＧＳＮによってサポートされている旨を示す受け入れメッセージをＵＥにＣＮ制御ノードから送出する工程とを含む。【選択図】図８
2018191325.tif 000002
【特許請求の範囲】
【請求項１】
無線ネットワークにおいてショートメッセージングサービス（ＳＭＳ）専用サービスプロビジョニングを実行するよう動作可能なノードの装置であって、
前記ノードは、
前記ノードにおいて移動局（ＭＳ）から受信したリクエストメッセージを復号化し、前記リクエストメッセージは、前記ＭＳがＰＳベースショートメッセージングサービス（ＳＭＳ）をサポートすることを示すための選択された情報要素（ＩＥ）を含み、
前記ノードから前記ＭＳへの送信のための受け入れメッセージを符号化し、前記受け入れメッセージは、前記ＭＳからのＧＭＭ（ＧＰＲＳ  Ｍｏｂｉｌｉｔｙ  Ｍａｎａｇｅｍｅｎｔ）リクエストが前記ノードによって拒絶されている理由を示すよう構成されるＧＭＭメッセージを含む、
よう構成される１つ以上のプロセッサを含む装置。
【請求項２】
前記ＭＳから前記リクエストメッセージを受信し、
前記受け入れメッセージを前記ＭＳに送信する、
よう構成される送受信機を更に含む、請求項１記載の装置。
【請求項３】
前記リクエストメッセージは、アタッチリクエストメッセージである、請求項１記載の装置。
【請求項４】
前記リクエストメッセージは、ルーティングエリア更新リクエストメッセージである、請求項１記載の装置。
【請求項５】
前記受け入れメッセージは、アタッチ受け入れメッセージ又はルーティングエリア更新受け入れメッセージである、請求項１記載の装置。
【請求項６】
前記受け入れメッセージは、ＧＰＲＳを介したＳＭＳがＳＧＳＮ（Ｓｅｒｖｉｎｇ  Ｇｅｎｅｒａｌ  Ｇｅｎｅｒａｌ  Ｐａｃｋｅｔ  Ｒａｄｉｏ  Ｓｅｒｖｉｃｅ（ＧＰＲＳ）  Ｓｕｐｐｏｒｔ  Ｎｏｄｅ）ネットワークによってサポートされているか否かを特定するためのビットを有するＩＥを含む、請求項１記載の装置。
【請求項７】
前記ノードは、ＳＧＳＮ（Ｓｅｒｖｉｎｇ  Ｇｅｎｅｒａｌ  Ｇｅｎｅｒａｌ  Ｐａｃｋｅｔ  Ｒａｄｉｏ  Ｓｅｒｖｉｃｅ（ＧＰＲＳ）  Ｓｕｐｐｏｒｔ  Ｎｏｄｅ）である、請求項１記載の装置。
【請求項８】
無線ネットワークにおいてショートメッセージングサービス（ＳＭＳ）専用サービスプロビジョニングを実行する方法であって、
ノードにおいて移動局（ＭＳ）から受信したリクエストメッセージを復号化するステップであって、前記リクエストメッセージは、前記ＭＳがＰＳベースショートメッセージングサービス（ＳＭＳ）をサポートすることを示すための選択された情報要素（ＩＥ）を含む、復号化するステップと、
前記ノードから前記ＭＳへの送信のための受け入れメッセージを符号化するステップであって、前記受け入れメッセージは、前記ＭＳからのＧＭＭ（ＧＰＲＳ  Ｍｏｂｉｌｉｔｙ  Ｍａｎａｇｅｍｅｎｔ）リクエストが前記ノードによって拒絶されている理由を示すよう構成されるＧＭＭメッセージを含む、符号化するステップと、
を有する方法。
【請求項９】
前記リクエストメッセージは、アタッチリクエストメッセージである、請求項８記載の方法。
【請求項１０】
前記リクエストメッセージは、ルーティングエリア更新リクエストメッセージである、請求項８記載の方法。
【請求項１１】
前記受け入れメッセージは、アタッチ受け入れメッセージ又はルーティングエリア更新受け入れメッセージである、請求項８記載の方法。
【請求項１２】
前記受け入れメッセージは、ＧＰＲＳを介したＳＭＳがＳＧＳＮ（Ｓｅｒｖｉｎｇ  Ｇｅｎｅｒａｌ  Ｇｅｎｅｒａｌ  Ｐａｃｋｅｔ  Ｒａｄｉｏ  Ｓｅｒｖｉｃｅ（ＧＰＲＳ）  Ｓｕｐｐｏｒｔ  Ｎｏｄｅ）ネットワークによってサポートされているか否かを特定するためのビットを有するＩＥを含む、請求項８記載の方法。
【請求項１３】
前記ノードは、ＳＧＳＮ（Ｓｅｒｖｉｎｇ  Ｇｅｎｅｒａｌ  Ｇｅｎｅｒａｌ  Ｐａｃｋｅｔ  Ｒａｄｉｏ  Ｓｅｒｖｉｃｅ（ＧＰＲＳ）  Ｓｕｐｐｏｒｔ  Ｎｏｄｅ）である、請求項８記載の方法。
【請求項１４】
無線ネットワークにおいてショートメッセージングサービス（ＳＭＳ）専用サービスプロビジョニングを実行する方法をプロセッサに実現させるプログラムであって、
ノードにおいて移動局（ＭＳ）から受信したリクエストメッセージを復号化するステップであって、前記リクエストメッセージは、前記ＭＳがＰＳベースショートメッセージングサービス（ＳＭＳ）をサポートすることを示すための選択された情報要素（ＩＥ）を含む、復号化するステップと、
前記ノードから前記ＭＳへの送信のための受け入れメッセージを符号化するステップであって、前記受け入れメッセージは、前記ＭＳからのＧＭＭ（ＧＰＲＳ  Ｍｏｂｉｌｉｔｙ  Ｍａｎａｇｅｍｅｎｔ）リクエストが前記ノードによって拒絶されている理由を示すよう構成されるＧＭＭメッセージを含む、符号化するステップと、
を前記プロセッサに実行させるプログラム。
【請求項１５】
前記リクエストメッセージは、アタッチリクエストメッセージである、請求項１４記載のプログラム。
【請求項１６】
前記リクエストメッセージは、ルーティングエリア更新リクエストメッセージである、請求項１４記載のプログラム。
【請求項１７】
前記受け入れメッセージは、アタッチ受け入れメッセージ又はルーティングエリア更新受け入れメッセージである、請求項１４記載のプログラム。
【請求項１８】
前記受け入れメッセージは、ＧＰＲＳを介したＳＭＳがＳＧＳＮ（Ｓｅｒｖｉｎｇ  Ｇｅｎｅｒａｌ  Ｇｅｎｅｒａｌ  Ｐａｃｋｅｔ  Ｒａｄｉｏ  Ｓｅｒｖｉｃｅ（ＧＰＲＳ）  Ｓｕｐｐｏｒｔ  Ｎｏｄｅ）ネットワークによってサポートされているか否かを特定するためのビットを有するＩＥを含む、請求項１４記載のプログラム。
【請求項１９】
前記ノードは、ＳＧＳＮ（Ｓｅｒｖｉｎｇ  Ｇｅｎｅｒａｌ  Ｇｅｎｅｒａｌ  Ｐａｃｋｅｔ  Ｒａｄｉｏ  Ｓｅｒｖｉｃｅ（ＧＰＲＳ）  Ｓｕｐｐｏｒｔ  Ｎｏｄｅ）である、請求項１４記載のプログラム。
【請求項２０】
請求項１４乃至１９何れか一項記載のプログラムを格納したコンピュータ可読記憶媒体。
【発明の詳細な説明】
【技術分野】
【０００１】
スマートフォンやタブレット型装置などのモバイル無線装置の使用が至る所に存在するようになるにつれ、前述の装置によって使用される限定量の無線周波数スペクトルに対する需要も増加し、それにより、免許付与されたスペクトルにおける無線ネットワーク輻輳が生じている。
【背景技術】
【０００２】
更に、オーディオ及びビデオのストリーミングなどの高帯域アプリケーションの使用の増加により、利用可能なスペクトルの能力を超えて需要が増加し得る。このことは特に、大都市や大学などの、密度及び利用頻度が高い場所においてあてはまる。１つの予測では、西暦２０１０年から西暦２０１５年までの間にモバイル・インターネットのトラフィックにおいて２０倍の成長が推定されている。
【発明の概要】
【発明が解決しようとする課題】
【０００３】
無線アーキテクチャ、ハードウェア・デザイン、及びプロセッサの速度における改良により、無線装置の、利用可能なスペクトルのその使用における効率がかなり増加している。しかし、前世代の無線ネットワーク技術仕様による特定の従来の局面は、現代の無線アーキテクチャの潜在的な効率を低減し続けている。
【課題を解決するための手段】
【０００４】
本発明の構成及び利点は、本発明の構成を例により、ともに例証する、添付図面とともに解される以下の詳細な説明から明らかとなるであろう。
【図面の簡単な説明】
【０００５】
【図１】Ｓ４、Ｓ５、及びＳ８インタフェースに基づく場合の汎用パケット無線サービス（ＧＰＲＳ）論理アーキテクチャの例を示す図である。
【図２】例により、パケット交換（ＰＳ）ショート・メッセージ・サービス（ＳＭＳ）通信を提供するよう構成されたモビリティ管理エンティティ（ＭＭＥ）アーキテクチャを示す図である。
【図３】例により、更なる更新タイプの情報要素（ＩＥ）を備えた、テーブル形式で示すアタッチ要求メッセージの例を示す図である。
【図４】例により、更なる更新タイプの情報要素（ＩＥ）を備えた、テーブル形式で示すルーティング・エリア更新（ＲＡＵ）要求メッセージの例を示す図である。
【図５】例により、拡張ネットワーク機能サポート情報要素（ＩＥ）を備えた、テーブル形式で示すアタッチ受け入れメッセージの例を示す図である。
【図６】例により、拡張ネットワーク機能サポート情報要素（ＩＥ）を備えた、テーブル形式で示すルーティング・エリア更新受け入れメッセージの例を示す図である。
【図７】例により、新たな原因コードを備えた汎用パケット無線サービス（ＧＰＲＳ）モビリティ管理（ＧＭＭ）原因情報要素の例を示す図である。
【図８】例により、無線ネットワークにおいて、パケット・サービス（ＰＳ）のみのサービス・プロビジョニングを行う方法を表すフローチャートである。
【図９】例により、ショート・メッセージ・サービス（ＳＭＳ）メッセージのＰＳ通信に無線ネットワークを適合させる方法を表すフローチャートである。
【図１０】例により、モバイル無線装置を示す図である。
【発明を実施するための形態】
【０００６】
次に、例証される例示的な実施例を参照し、本明細書及び特許請求の範囲において、同じことを表すために特定の文言を使用するものとする。しかしながら、本発明の範囲が限定されることがそれによって意図されるものでない。
【０００７】
本発明を開示し、説明する前に、本発明が、本明細書及び特許請求の範囲に開示された特定の構造、処理工程、又は材料に限定されない一方、当業者によって認識されるその均等物に拡張されるものとする。更に、本明細書及び特許請求の範囲において使用される用語が、特定の実施例を説明する目的のみに使用され、限定することを意図するものでないものとする。
【０００８】
定義
本明細書に記載の「実質的な」の語は、動作、特徴、特性、状態、構造、アイテム、又は結果の完全な、又はほぼ完全な範囲若しくは程度を表す。例えば、「実質的に」囲まれた物体は、物体が、完全に囲まれているか、又はほぼ完全に囲まれていることを意味する。絶対的な完全性からの厳密に許容可能な逸脱の程度は、場合によっては特定のコンテキストに依存する。しかし、一般に、完全性に近いことにより、絶対的かつ全面的な完全性が得られたのと全体的に同じ結果を得るであろう。「実質的な」の使用は、動作、特徴、特性、状態、構造、アイテム、又は結果が全くないこと、又はほぼ全くないことを表すために、否定的な意味で使用される場合に同等に適用可能である。
【０００９】
本明細書及び特許請求の範囲記載の語「コア・ネットワーク（ＣＮ）制御ノード」は、モビリティ管理エンティティ（ＭＭＥ）又はサービングＧＰＲＳ（汎用パケット無線サービス）サポート・ノード（ＳＧＳＮ）を表す汎用語である。
【００１０】
本明細書及び特許請求の範囲記載のユーザ装置（ＵＥ）の語は、第３世代パートナーシップ・プロジェクト（３ＧＰＰ）無線ネットワークと通信するよう構成された無線装置を表す。
【００１１】
本明細書及び特許請求の範囲記載の移動局（ＭＳ）の語は、第３世代パートナーシップ・プロジェクト（３ＧＰＰ）無線ネットワークと通信するよう構成された無線装置を表す。ＵＥ及びＭＳの語は同義であることみなされ、別途明記しない限り、本明細書及び特許請求の範囲において同義に使用し得る。
【００１２】
更なる定義は、例示的な実施例における後続段落において記載し得る。
【実施例】
【００１３】
例示的な実施例
技術的な実施例の当初の概要を以下に記載し、次いで、特定の技術的な実施例を更に詳細に後述する。この最初の概要は、読者がよりすばやく技術を理解する手助けとなることを意図している一方、技術の主要な構成又は必須の構成を明確にすることを意図するものでなく、特許請求の範囲記載の主題の範囲を制限することを意図するものでもない。
【００１４】
無線データ伝送の量における指数関数的な増加により、無線装置（いくつか挙げればスマートフォンやタブレット型装置など）用の無線通信サービスを提供するために、免許付与されたスペクトルを使用して、無線ネットワークにおける輻輳が生じている。輻輳は特に、都市部や大学などの、密度及び利用頻度が高い場所において明らかである。
【００１５】
無線装置に更なる帯域容量を与えるための一手法は、回線交換からパケット交換への無線ネットワークの変換による。回線交換では、無線通信には、無線ノード間で一定のビット・レート及び一定の遅延を通常、有する限定数の専用接続を使用することが関係している。前述の専用接続は、無線装置によってデータが伝送されていない場合でもオープンであり得る。これは、無線周波数スペクトルの使用において非効率性につながり得る。
【００１６】
回線交換と対照的に、パケット交換には、パケットとして表すブロックに、データの内容、タイプ、又は構造に係わらず、伝送する対象のデータのグループ化が関係する。パケット交換は、共有ネットワークを介して可変ビット・レートのデータ・ストリームを供給するための機能を提供する。パケットは、ネットワーク・アダプタ、スイッチ、ルータ、又は他のネットワーク・ノードにおいてバファリング又はキューイングし、それにより、ネットワークにおけるトラフィック負荷に応じて可変の遅延及びスループットを伴ってパケットを配信することを可能にし得る。パケット交換の使用により、無線ネットワークにおいて所望のサービス品質（ＱｏＳ）を無線ネットワークが提供する能力が向上する。更に、パケット交換の使用により、データが伝送される効率が実質的に向上し、それにより、消費者にとっての費用の低下、及び混雑した無線周波数スペクトルの更に効率的な使用がもたらされる。
【００１７】
無線通信標準が開発され続けるにつれ、パケット交換の使用はますます普及してきている。しかし、旧い標準による特定のレガシーが、最新の無線通信標準においてもなお残っている。前述のレガシーの１つには、第３世代パートナーシップ・プロジェクト（３ＧＰＰ）ロング・ターム・エボリューション（ＬＴＥ）技術仕様によって動作するよう構成された無線装置間でショート・メッセージ・サービス（ＳＭＳ）通信を伝達するために回線交換を使用することがある。
【００１８】
「テキスト・メッセージング」として通常、表されるショート・メッセージ・サービス通信は、モバイル装置間で、最大１６０文字の長さのテキスト・メッセージの交換を可能にする通信プロトコルである。メッセージは、宛先無線装置がアクティブになるまでメッセージを記憶することが可能なショート・メッセージ・サービス・センタ（ＳＭＳＣ）に送出される。宛先無線装置が一旦、無線ネットワークに接続されると、ＳＭＳメッセージはＳＭＳＣから無線装置に通信することが可能である。
【００１９】
３ＧＰＰ  ＬＴＥ技術仕様のリリース８、９、１０、及び１１（西暦２０１２年９月におけるステージ２フリーズ）はなお、ＳＭＳ通信を提供するために回線交換（ＣＳ）を使用する。ＳＭＳの通信は、３ＧＰＰネットワークにおけるＣＳの最後の痕跡の１つである。ＣＳを使用してＳＭＳ通信を提供するために、ユーザ装置（ＵＥ）は通常、モバイル交換センタ（ＭＳＣ）と接続しなければならない。ＭＳＣは、無線システムと固定ネットワークとの間のインタフェースを提供する。ＭＳＣは、ＵＥとの間でＣＳサービスを提供するために、所望の機能を行うことが可能である。よって、ユーザ装置（ＵＥ）は多くの場合、ＭＳＣと接続する。前述の接続は、過剰な負荷、及び不必要な専用無線接続の使用をもたらし得る。
【００２０】
前述の制限を解消するために、３ＧＰＰネットワークにおいてパケット交換（ＰＳ）を使用したＳＭＳ通信の手法を実現することが可能である。ＰＳベースのＳＭＳの実現は、無線ネットワークの経年数及び／又はアーキテクチャに応じて種々のやり方で行うことが可能である。
【００２１】
現代の３ＧＰＰ  ＬＴＥベースのネットワークは、ネットワークのモビリティ管理エンティティ（ＭＭＥ）を使用して、ＰＳベースのＳＭＳ通信を実現することが可能である。ＭＭＥは、ＵＥとコア・ネットワーク（ＣＮ）との間のシグナリングを処理する制御ノードである。ＭＭＥは、エボルブド・パケット・システム（ＥＰＳ）のビジタ・ロケーション・レジスタ（ＶＬＳ）機能を提供することが可能である。これについては、後続段落において更に詳細に説明する。
【００２２】
より旧い無線ネットワークは、あらゆる旧い無線ネットワーキング機器及び新しい無線ネットワーキング機器を含み得る。無線ネットワーキング機器は多くの場合、一般に、機器の経年数及び機器に応じて、機器が属する「世代」に基づいて表される。例えば、無線ネットワーキング機器は、２Ｇ、２．５Ｇ、３Ｇ、又は４Ｇなどの、機器が属する「世代」に基づいて表し得る。各種世代を含むネットワークは、サービングＧＰＲＳ（汎用パケット無線サービス）サポート・ノード（ＳＧＳＮ）を含み得る。
【００２３】
ＧＰＲＳは、グローバル移動通信システム（ＧＳＭ（登録商標））に対するモバイル・データ・サービス拡張である。ＧＳＭ（登録商標）は２Ｇシステムである。ＧＰＲＳは多くの場合、２．５Ｇシステムとして表される。ＳＧＳＮは、４ＧシステムにおけるＭＭＥと同様に、制御ノードとしてふるまう。ＳＧＳＮは、パケット交換（ＰＳ）サービスのための無線システムと固定ネットワークとの間のインタフェースである。ＳＧＳＮは、ＵＥとの間でのパケット伝送を扱うための機能を行うことが可能である。ＳＧＳＮを使用して、ＰＳベースのＳＭＳを提供し、それにより、単に、２．５Ｇ又は３Ｇ無線ネットワークにおけるＳＭＳ通信のために、ＵＥがＭＳＣに接続する必要性をなくすことが可能である。
【００２４】
ＵＥが種々のネットワークを進むにつれ、各ネットワークの機能は変わり得る。一部のネットワークは、ＰＳドメイン非アクセス層（ＮＡＳ）レイヤを介してＳＭＳサービスをサポートし得る。しかし、他のネットワークはこれをサポートしないことがあり得る。したがって、ＰＳのみのサービス提供を意図した加入は更に、サービング・ノード又はネットワークがＰＳドメインＮＡＳシグナリングを介したＳＭＳをサポートしない状況において、ＣＳドメインを介したＳＭＳサービスがＵＥにＳＭＳサービスを提供することを可能にし得る。
【００２５】
ＳＭＳサービスのためのＳＧＳＮアーキテクチャにおけるＳＭＳの説明については以下に記載する。ＳＧＳＮアーキテクチャにおいてＳＭＳを実現するための、ＵＥとＳＧＳＮとの間で使用されるメッセージングを提供する。ＭＭＥアーキテクチャにおけるＳＭＳの説明が以下に続く。
【００２６】
図１は、Ｓ４／Ｓ５／Ｓ８インタフェースに基づいた場合のＧＰＲＳ論理アーキテクチャの例を提供する。アーキテクチャは、３ＧＰＰ技術仕様（ＴＳ）２３．０６０において説明されている。一例は、３ＧＰＰ  ＴＳ  ２３．０６０  Ｖ１１  ．１  ．０  （２０１２−０３）に記載されている。
【００２７】
ＧＰＲＳサポート・ノード（ＧＳＮ）は、ＧＳＭ（登録商標）／ＥＤＧＥ無線アクセス・ネットワーク（ＧＥＲＡＮ）及び／又はユニバーサル地上無線アクセス・ネットワーク（ＵＴＲＡＮ）のＧＰＲＳ機能をサポートするために使用される機能を含む。一公衆陸上モバイル・ネットワーク（ＰＬＭＮ）には、２つ以上のＧＳＮが存在し得る。
【００２８】
ＳＧＳＮ機能及びゲートウェイＧＰＲＳサポート・ノード（ＧＧＳＮ）機能は同じ物理ノードにおいて組み合わせ得、又は別々の物理ノードに存在し得る。ＳＧＳＮ及びＧＧＳＮは、インターネット・プロトコル（ＩＰ）又は他の（すなわち、非同期転送モード（ＡＴＭ））ルーティング機能を含む。ＳＧＳＮ及びＧＧＳＮはＩＰルータと相互接続し得る。
【００２９】
ゲートウェイＧＰＲＳサポート・ノード（ＧＧＳＮ）は、パケット・データ・プロトコル（ＰＤＰ）アドレスの評価後にパケット・データ・ネットワーク（ＰＤＮ）によってアクセスされるノードである。ＧＧＳＮは、ＰＳにアタッチされたユーザのためのルーティング情報を含む。ルーティング情報は、ＵＥの現在のポイント・オブ・アタッチメント（すなわち、サービングＧＰＲＳサポート・ノード）にＮ個のプロトコル・データ・ユニット（ＰＤＵ）をトンネリングするために使用される。ＧＧＳＮは、任意のＧｃインタフェースを介してホーム・ロケーション・レジスタ（ＨＬＲ）に位置情報を要求し得る。ＧＧＳＮは、ＧＰＲＳをサポートするＰＬＭＮとのＰＤＮ相互接続の最初の点である（すなわち、Ｇｉ参照点はＧＧＳＮによってサポートされる）。ＧＧＳＮ機能は、全てのタイプのＲＡＮに共通である。
【００３０】
サービングＧＰＲＳサポート・ノード（ＳＧＳＮ）は、ＵＥ（すなわち、移動局（ＭＳ））のサービング・ノードである。ＳＧＳＮは、ＡＧ／ｂモードについてＧＰＲＳをサポートし（すなわち、ＧｂインタフェースはＳＧＳＮによってサポートされる）、かつ／又はｌｕ−モードについてＧＰＲＳをサポートする（すなわち、ｌｕインタフェースはＳＧＳＮによってサポートされる）。ＰＳアタッチでは、ＳＧＳＮは、例えばＭＳのモビリティ及びセキュリティに関する情報を含むモビリティ管理コンテキストを確立する。ＰＤＰコンテキスト・アクティベーションでは、ＳＧＳＮは、加入者が使用することになるＧＧＳＮとともに、ルーティング目的で使用する対象のＰＤＰコンテキストを確立する。ｌｕモードでは、ＳＧＳＮ及びＲＮＣは１つ又は複数のＩＰルータと相互接続し得る。
【００３１】
Ｇｎ／Ｇｐモードにおいて、かつ、ＳＧＳＮ及びＧＧＳＮが別々のＰＬＭＮにある場合、これらは、Ｇｐインタフェースを介して相互接続される。Ｇｐインタフェースは、Ｇｎインタフェースの機能、及びＰＬＭＮ間通信に必要なセキュリティ機能を提供する。セキュリティ機能は、事業者間の相互の合意に基づく。
【００３２】
Ｇｎ／Ｇｐモードでは、ＳＧＳＮは、Ｇｎ／Ｇｐインタフェース上のシグナリング及びｌｕ／Ｇｂインタフェース・シグナリングのインターワークを行う。Ｓ４モードでは、ＳＧＳＮは、Ｓ４インタフェース上のシグナリング及びｌｕ／Ｇｂインタフェース・シグナリングのインターワークを行う。一ＳＧＳＮは、Ｇｎ／Ｇｐモードを使用する一部のＵＥ、及びＳ４モードを使用する他のＵＥを有し得る。
【００３３】
ＳＧＳＮは、任意のＧｓインタフェースを介してＭＳＣ／ＶＬＲに位置情報を送出し得る。ＳＧＳＮは、Ｇｓインタフェースを介してＭＳＣ／ＶＬＲからページング要求を受け取り得る。
【００３４】
ＳＧインタフェースは、ＶＬＲ及びＭＭＥにおけるデータベースを接続することが可能である。ＳＧは更に、ＭＭＥを介して、一部の回線交換関係の手順を伝えるために使用される。ＶＬＲとＭＭＥとの間のインターワークの基礎は、ＵＥ毎のエンティティ間のＳＧのアソシエーションの存在である。ＳＧアソシエーションは、ＣＳフォールバック及びＳＭＳオーバＳＧ、又はＳＭＳオーバＳＧのみを使用するよう構成されたＵＥに適用可能である。加入がパケット交換（ＰＳ）通信のみのためである旨を加入者データが示す場合、ＳＧアソシエーションは適用可能でない。ホーム加入者サーバ（ＨＳＳ）が「ＭＭＥにおけるＳＭＳのサポート」機能をシグナリングし、ＭＭＥにおけるＳＭＳの機能を使用してＳＭＳサービスを提供すべきであるとＭＭＥが判定した場合も、ＳＧアソシエーションは適用可能でない。
【００３５】
ＳＧＳＮは、Ｇｅ参照点を使用して、モバイル拡張ネットワーク・ロジック（ＣＡＭＥＬ）制御用の任意のカスタマイズ・アプリケーションのためにＧＳＭ（登録商標）−ＳＣＦとインタフェースする。ＣＡＭＥＬ相互作用による結果に応じて、セッション及びパケット・データ転送は正常に進み得る。さもなければ、ＧＳＭ（登録商標）−ＳＣＦとの相互作用はＴＳ２３．０７８において説明するように続く。
【００３６】
サービング・ゲートウェイの機能は、以下の追加及び例外とともに、３ＧＰＰ  ＴＳ２３．４０１において定義されている。すなわち、サービング・ゲートウェイは、直接トンネル機能が使用中である場合に、ＵＴＲＡＮに対するユーザ・プレーン・インタフェースを終了させることが可能である。サービング・ゲートウェイは、直接トンネル機能が使用中である場合のサービング無線ネットワーク・サブシステム（ＳＲＮＳ）リロケーションのためのローカル・モビリティ・アンカ・ポイントである。サービング・ゲートウェイは更に、ＳＧＳＮ間ルーティング・エリア更新のためのローカル・モビリティ・アンカであり得る。
【００３７】
ＳＧＳＮアーキテクチャにおけるＳＭＳ
本発明の一実施例によれば、ＳＧＳＮにおけるＳＭＳは以下のように行うことが可能である。ＳＧＳＮが、Ｇｄインタフェースを使用してＳＧＳＮにおいてＳＭＳを提供する旨を、アタッチ／ルーティング・エリア更新（ＲＡＵ）手順においてホーム加入者サーバ（ＨＳＳ）に示す表示を追加することが可能である。加入データ情報を、「ＰＳ及びＳＭＳのみの」加入について追加することが可能である。ＳＧＳＮ識別情報は、ＳＭＳサービスを終了させるために登録することが可能である。このことが行われる場合、ＨＬＲは、ＨＳＳを処理し、何れかの登録されたＭＳＣを取り消すことが可能である。前述の動作は、ＳＧＳＮ及びＭＭＥのＨＬＲ／ＨＳＳの挙動を整合させる。（双方向における）ＨＳＳとＳＧＳＮとの間のＳＭＳサポートのハンドシェークは、ＧｒＭＡＰプロトコル及びＳ６ｄダイアメータ・プロトコルにおける既存のテレサービス・リスト・パラメータに基づき得る。ＳＧＳＮ間ＲＡＵ手順は、組み合わせたＧＰＲＳアタッチ／ＲＡＵ手順と、「ＳＧＳＮにおけるＳＭＳ」について同じサポートを提供するよう更新することが可能である。ＭＳに対する「ＳＭＳサポート」表示についての説明をＧＰＲＳアタッチ手順において追加することが可能である。
【００３８】
アタッチ／ＲＡＵ手順中のＨＳＳとのシグナリングにおける「ＳＧＳＮにおけるＳＭＳの提供」との表示により、ＳＭＳサービスを、ＰＳドメイン（すなわち、Ｇｄ）を介してＨＳＳに提供することをＳＧＳＮは示すことが可能である。加入情報が「ＰＳ及びＳＭＳのみ」を示す場合、ＨＳＳは、モバイル終端（ＭＴ）ＳＭＳがＰＳドメイン内のサービング・ノードに、ＳＭＳがＰＳドメインを介して上記サービング・ノードによって提供されるとルーティングされるように、ＳＭＳゲートウェイ・モバイル交換センタ（ＧＭＳＣ）及びＳＭＳルータからのクエリに応答することが可能である。
【００３９】
ＰＳドメイン・サービス及びＳＭＳサービス・オーバ非アクセス層（ＮＡＳ）レイヤのみを必要とするＣＳ／ＰＳ対応のＵＥは、組み合わせたアタッチ／ＲＡＵ手順中にＳＧＳに、この機能を「ＳＭＳのみ」として示す（すなわち、含まれるＣＳ登録は、ＳＭＳサービス・オーバＮＡＳを得るためにのみ要求される。「ＳＭＳサービス・オーバＮＡＳ」の語は、ＰＳベースのＳＭＳサービスを提供するためにネットワーク内のＮＡＳレイヤを介して行われるシグナリングを表す。「ＳＭＳサービス・オーバＮＡＳ」の語は更に、ＧＰＲＳを介したＳＭＳとして表すことも可能である。
【００４０】
ＵＥ提供情報（すなわち、ＳＧＳＮに対する、ＳＭＳのみの表示）に基づき、かつ、ＨＳＳ提供加入情報が「ＳＧＳＮにおけるＳＭＳをサポート」を示し、ＳＧＳＮが、ＳＭＳサービス・オーバＮＡＳをサポートする場合、ＳＧＳＮは次いで、組み合わせたアタッチ／ＲＡＵ手順においてＵＥによって要求された場合に、ＭＳＣとのアソシエーションを確立しないと判定することが可能である。
【００４１】
ＳＧＳＮは、ロケ―ション更新手順における「ＳＭＳのみ」表示としてＵＥによって示された機能を転送することが可能である。ＨＳＳは、旧いサービングＭＳＣを登録させている場合、「ＳＭＳのみ」を示すＵＥのサービングＭＳＣを取り消すことが可能であり、ＳＧＳＮ及びＨＳＳが何れも、ＳＧＳＮにおいてＳＭＳをサポートする（すなわち、ＳＧＳＮが「ＳＧＳＮにおいてＳＭＳが提供されている」と示しており、ＨＳＳがＳＧＳＮにおいてＳＭＳをサポートする）場合、ＳＭＳサービスに加入する。ＳＧＳＮのみがＭＴ  ＳＭＳについて登録されているので、ＨＳＳは、ＭＴ  ＳＭＳがＰＳドメインにおけるサービング・ノードにルーティングされるように、ＳＭＳ−ＧＭＳＣ及びＳＭＳルータからのクエリに応答することが可能である。
【００４２】
一実施例では、ＵＥは、ＰＳのみのサービス・プロビジョニングのタイプを識別することが可能である。ＵＥからＳＧＳＮに送出されたＰＳのみの強制プロビジョニング・メッセージは、ＳＧＳＮが、ＵＥの組み合わせモビリティ管理（ＭＭ）手順を何ら行わず、Ｇｓアソシエーションを確立しないことを示す。ＰＳのみの強制では、ネットワークはＵＥをＣＳドメインに接続しない。しかし、ＵＥが、ＰＳドメインを介して、ＳＭＳサービスをサポートしないネットワークに入った場合、ＵＥは、ネットワークのカバレッジ・エリア内に位置している間、ＳＭＳメッセージを何ら受け取らない。
【００４３】
よって、更なるＰＳのみのサービスは、ＰＳのみのイネーブル・サービスである。ＵＥは、ＵＥのホーム公衆陸上モバイル・ネットワーク（ｈＰＬＭＮ）が、ＰＳドメインを介してＳＭＳサービスを提供することができ、そうしたい旨をＳＧＳＮに示すＰＳのみのイネーブル・メッセージをＳＧＳＮに送出することが可能である。ＵＥが組み合わせたアタッチ／ＲＡＵ手順中にその機能を示した場合（すなわち、含まれるＣＳ登録が、ＰＳベースのＳＭＳサービスを取得するためにのみ要求された場合）、ＳＧＳＮはＭＳＣとのアソシエーションを確立しない。
【００４４】
ＭＭＥアーキテクチャにおけるＳＭＳ
図２は、ＰＳベースのＳＭＳサービスを提供するよう構成されたＭＭＥアーキテクチャの例証を提供する。ＭＭＥは、ＳＭＳサポートによって拡張されたダイアメータ・ベースのインタフェースであるＳ６ａインタフェースを介してＨＳＳと通信している。新たな直接「Ｅ」インタフェースが、ＳＭＳルータ、ＳＭＳゲートウェイ・モバイル交換センタ（ＧＭＳＣ）、及びＳＭＳ−インターワーキング・モバイル交換センタ（ＩＷＭＳＣ）などの、ＭＭＥ及びＳＭＳ中央機能間に存在する。Ｅインタフェースは、ＭＡＰ又はダイアメータ・ベースのプロトコルであり得る。
【００４５】
モバイル・アプリケーション・パート（ＭＡＰ）は、携帯電話ユーザにサービスを提供するために、ＧＳＭ（登録商標）及びＵＭＴＳモバイル・コア・ネットワーク、並びにＧＰＲＳコア・ネットワークにおける種々のノードが互いに通信し合うためのアプリケーション・レイヤを提供するＳＳ７プロトコルである。モバイル・アプリケーション・パートは、ホーム・ロケーション・レジスタ、ビジタ・ロケーション・レジスタ、モバイル交換センタ、装置識別レジスタ、認証センタ、ショート・メッセージ・サービス・センタ、及びサービングＧＰＲＳサポート・ノード（ＳＧＳＮ）にアクセスするために使用されるアプリケーション層プロトコルである。
【００４６】
ＳＧインタフェースは、ＭＭＥとＶＬＲとの間でＳＭＳメッセージを中継するために使用することが可能である。ＳＭＳ交換センタ（ＳＣ）は、ＳＭＳ−ＧＭＳＣ／ＳＭＳ＿IＷＭＳＣと一体化させ得る。ＨＳＳ中央機能及びＳＭＳ中央機能（ＳＭＳ＿ＩＷＭＳＣ及びＳＭＳ−ＧＭＳＣ、ＳＭＳルータ）間のインタフェースは、ダイアメータ又はＭＡＰ  Ｃインタフェースであり得る。ＭＭＥ中央機能及びＳＭＳ中央機能間には、ダイアメータＥインタフェースが存在している。
【００４７】
ＭＭＥアーキテクチャにおけるＳＭＳの使用は、ＳＭＳサービスのみのためである。前述の機能は、ＣＳフォールバックを何らトリガしないことがあり得、ＳＧを必要としない。更に、ＭＭＥにおいてＳＭＳを提供するために、ＭＭＥは、以下を提供するよう構成することが可能である。ＵＥとＭＭＥとの間のＳＭＳ手順は、ショート・メッセージ制御（ＳＭＳ）機能及びショート・メッセージ中継（ＳＭＲ）機能のサポートを含み得る。
【００４８】
一実施例では、ＭＭＥは、「ＳＭＳのみ」の組み合わせたＥＰＳ／ＩＭＳＩ手順をサポートし、これらにおいて、どのビジタ・ロケーション・レジスタ（ＶＬＲ）とも関連付けられない非報知ロケーション・エリア識別子（ＬＡＩ）を提供するよう構成することが可能である。必要な場合、ＭＭＥは、他のＴＭＳＩとの曖昧さを何らもたらし得ないように構成された予約済ＴＭＳＩを提供することが可能である。例えば、ＧＥＲＡＮ／ＵＴＲＡＮ  ＭＳＣからＳＭＳサービスを導き出す必要があるエリアにＵＥが切り替わると、ＭＭＥは、ＩＭＳＩアタッチが「ＳＭＳのみ」用である旨をアタッチ／ＲＡＵ受け入れメッセージにおいて示し得る。ＭＭＥは、ＭＳＣとのＳＧアソシエーションを確立する必要なしでＳＭＳ転送ができる旨をＨＳＳに通知することが可能である。ＭＭＥは、ＳＭＳ関連加入情報を得ることが可能である。
【００４９】
ＵＥが、「ＳＭＳのみ」表示を備えた組み合わせたＧＰＲＳアタッチ／ＲＡＵ手順を行った場合、ＭＭＥ／ＳＧＳＮは、ロケーション更新手順における「ＳＭＳのみ」表示をＨＳＳに転送することが可能である。ＨＳＳは、ＰＳサービス及びＳＭＳサービスのみに限定された加入を事業者が構成することを可能にし得る。前述の制限は、「ＰＳ及びＳＭＳのみ」としてＰＳ加入データに示される。
【００５０】
ＧＥＲＡＮ／ＵＴＲＡＮ無線通信システムを設定してＰＳベースのＳＭＳを提供するために、ＵＥは、ＳＭＳサービスに対するその要求をＳＧＳＮに示すことが可能である。ＵＥはそのＰＳのみの機能をＳＧＳＮに通信することが可能である。このことには、ＵＥが、単に、ＳＭＳサービスを受けるためにＣＳ登録を要求するが、ＰＳベースのＳＭＳをサポートすることができる旨のメッセージを送出することが関係し得る。ＵＥからＧＰＲＳに前述のメッセージを伝達する１つのやり方は、アタッチ要求メッセージを変えることによる。アタッチ要求メッセージは、３ＧＰＰ  ＴＳ２４．００８のセクション９．４．１に規定されている。ＴＳ２４．００８のリリース済バージョンの一例は、３ＧＰＰ  ＴＳ  ２４．００８  Ｖ１１  ．４．０  （２０１２−０９）に示す。
【００５１】
アタッチ要求メッセージは、ネットワークとのアタッチ手順を行うためにネットワークにＵＥによって送出される。ＧＰＲＳアタッチのためのアタッチ要求メッセージの例を表形式で図３に示す。表は、情報要素識別子（ＩＥ）、情報要素（ＩＥ）の名称、ＩＥのタイプ、及び３ＧＰＰ  ＴＳ２４．００８におけるＩＥへの参照、並びに、アタッチ要求メッセージにおける各ＩＥの存在、形式、及び長さを含む情報を含む。ＧＰＲＳのアタッチ要求メッセージは、３ＧＰＰ  ＴＳ２４．３０１に規定された、ＥＰＳのアタッチ要求メッセージと異なる。
【００５２】
一実施例によれば、ＵＥは、アタッチ要求メッセージにおいて伝達されたＩＥの１つに更なる情報を含めることが可能である。あるいは、更なるＩＥは、アタッチ要求メッセージに含めることが可能である。更なるＩＥは、ＵＥが「ＳＭＳのみ」を要求する場合に、又はＵＥがＰＳベースのＳＭＳをサポートし、ＣＳドメインを介してＳＭＳサービスを受けるためにのみ、ＣＳ登録を行う場合に含め得る。各種ＩＥいくつかを用いてこのメッセージをＵＥからＳＧＳＮに伝達することが可能である。別々の５つの例をここでは提供する。
【００５３】
前述の例は限定することを意図するものでない。ＵＥからＳＧＳＮにこのメッセージを伝達するために如何なる手段を使用してもよい。以下の例には、解決策Ａ乃至解決策Ｅを付している。
【００５４】
解決策Ａ
前述の解決策では、新たな更なる更新タイプＩＥがアタッチ要求メッセージに追加される。更なる更新タイプＩＥの形式は後続段落に記載している。
【００５５】
更なる更新タイプＩＥの目的は、ＵＥのＰＳのみの機能に関する情報をネットワークに提供することである。これは、ＣＳドメインを介してＳＭＳサービスを得るためにのみ、ＣＳ登録を要求する旨のＵＥの意図をネットワークに通知する。一実施例では、ＭＳは、ＧＰＲＳサービス及び「ＳＭＳのみのサービス」の組み合わせたＧＰＲＳアタッチ手順を開始した場合、更なる更新タイプＩＥにおいて「ＳＭＳのみ」を示し得る。更なる更新タイプＩＥはタイプＩ情報要素である。更なる更新タイプＩＥは、表１及び表２に示すようにコード化することが可能である。
【００５６】
【表１】
2018191325.tif 000003
【００５７】
【表２】
2018191325.tif 000004
上記表２に示すように、オクテット１におけるビット１はＰＳベースのＳＭＳサポート（ＰＳＳＳ）メッセージであり得る。この例では、ビット値０は、ＭＳがＰＳベースのＳＭＳをサポートしないというメッセージを提供する。ビット値１は、ＭＳが、ＰＳベースのＳＭＳをサポートし、ＳＭＳサービスを受けるためにのみＣＳ登録を行うというメッセージを提供する。表１及び表２に示すＩＥは、図３に示すアタッチ要求メッセージに含め得る。一実施例では、ＭＳは、ＧＰＲＳサービス及び「ＳＭＳのみのサービス」の組み合わせたＧＰＲＳアタッチ手順を開始する場合、このＩＥを含め得る。別の実施例では、ＭＳは、ＰＳベースのＳＭＳをサポートする場合、このＩＥを含め得る。ＩＥは、ネットワークにＭＳのＰＳのみの機能を示すために使用することが可能である。
【００５８】
解決策Ｂ
前述の解決策では、アタッチ要求メッセージのＭＳネットワーク機能サポートＩＥの予備ビットは、ＵＥのＰＳのみの機能（すなわち、ＳＭＳサービスを得るためにのみ、ＣＳ登録を要求する旨のＵＥの意図）をネットワークに示すために使用される。
【００５９】
一実施例によれば、３ＧＰＰ  ＴＳ２４．３０１のセクション９．９．３．２０Ａ及び３ＧＰＰ  ＴＳ２４．００８のセクション１０．５．１．１５に規定されたＭＳネットワーク機能サポートＩＥを、以下のようにＰＳベースのＳＭＳサポート・メッセージを含めるよう構成することが可能である。
【００６０】
【表３】
2018191325.tif 000005
【００６１】
【表４】
2018191325.tif 000006
表３及び表４に示すように、オクテット１におけるビット２は、ＭＳネットワーク機能サポートＩＥにおけるＰＳベースのＳＭＳサポート（ＰＳＳＳ）メッセージであり得る。この例では、ビット値０は、ＭＳがＰＳベースのＳＭＳをサポートしないというメッセージを提供する。ビット値１は、ＭＳが、ＰＳベースのＳＭＳをサポートし、ＳＭＳサービスを受けるためにのみ、ＣＳ登録を行うというメッセージを提供する。表３及び表４に示すＩＥは、図３に示すアタッチ要求メッセージに含めることが可能である。
【００６２】
解決策Ｃ
前述の解決策では、アタッチ要求メッセージのＵＥネットワーク機能サポートＩＥの一予備ビットは、ＵＥのＰＳのみの機能（すなわち、ＳＭＳサービスを得るためにのみ、ＣＳ登録を要求する旨のＵＥの意図）をネットワークに示すために使用される。
【００６３】
一実施例によれば、３ＧＰＰ  ＴＳ２４．３０１のセクション９．９．３．３４に規定されたＵＥネットワーク機能ＩＥは、ＰＳベースのＳＭＳサポート・メッセージを含めるよう構成することが可能である。ＵＥネットワーク機能ＩＥのマッピングを表５に示す。ＵＥネットワーク機能ＩＥ情報の一部分を表６に示す。
【００６４】
【表５】
2018191325.tif 000007
【００６５】
【表６】
2018191325.tif 000008
表５及び表６に示すように、オクテット７におけるビット７は、ＵＥネットワーク機能ＩＥにおけるＰＳベースのＳＭＳサポート（ＰＳＳＳ）メッセージであり得る。この例では、ビット値０は、ＭＳがＰＳベースのＳＭＳをサポートしないというメッセージを提供する。ビット値１は、ＭＳが、ＰＳベースのＳＭＳをサポートし、ＳＭＳを受けるためにのみＣＳ登録を行うというメッセージを提供する。表５及び表６に示すＩＥは、図３に示すアタッチ要求メッセージに含めることが可能である。
【００６６】
解決策Ｄ
前述の解決策では、アタッチ要求のＥＰＳアタッチ・タイプＩＥの一予備ビットは、ＵＥのＰＳのみの機能（すなわち、ＳＭＳサービスを得るためにのみ、ＣＳ登録を要求する旨のＵＥの意図）をネットワークに示すために使用される。
【００６７】
一実施例によれば、３ＧＰＰ  ＴＳ２４．３０１のセクション９．９．３．１１及び３ＧＰＰ  ＴＳ２４．００８のセクション１０．５．５．２に規定されたＥＰＳアタッチ・タイプＩＥを、以下のようにＰＳベースのＳＭＳサポート・メッセージを含めるよう構成することが可能である。
【００６８】
【表７】
2018191325.tif 000009
【００６９】
【表８】
2018191325.tif 000010
表７及び表８に示すように、オクテット１のビット１乃至３におけるビット値１０１は、ＭＳが、ＰＳベースのＳＭＳをサポートし、ＣＳ登録が、ＳＭＳを受けるためにのみ行われる旨を示す、ＧＰＲＳアタッチ＋ＳＭＳのみというメッセージを提供する。表７及び表８に示すＩＥは、図３に示すアタッチ要求メッセージに含めることが可能である。
【００７０】
解決策Ｅ
前述の解決策では、アタッチ要求メッセージにおける既存のＩＥ  ＭＳネットワーク機能は、ＭＳのＰＳのみの機能（すなわち、ＳＭＳベースのサービスを得るためにのみ、ＣＳ登録を要求する旨のＭＳの意図）をネットワークに示すよう拡張することが可能である。
【００７１】
一実施例によれば、３ＧＰＰ  ＴＳ２４．００８のセクション１０．５．５．１２に規定されたＭＳネットワーク機能ＩＥは、ＰＳベースのＳＭＳサポート・メッセージを含めるよう構成することが可能である。
【００７２】
【表９】
2018191325.tif 000011
表９に示すように、ＩＥの選択されたオクテットにおける選択されたビットは、ＰＳベースのＳＭＳサポート（ＰＳＳＳ）メッセージであり得る。この例では、ビット値０は、ＭＳがＰＳベースのＳＭＳをサポートしないというメッセージを提供する。ビット値１は、ＭＳが、ＰＳベースのＳＭＳをサポートし、ＣＳドメインを介してＳＭＳサービスを受けるためにのみＣＳ登録を行うというメッセージを提供する。ＭＳネットワーク機能ＩＥは、３ＧＰＰ  ＴＳ２４．００８のセクション１０．５．５．１２に規定されている。表９に示すＩＥは、図３に示すアタッチ要求メッセージに含めることが可能である。
【００７３】
アタッチ要求メッセージを介して、ＰＳベースのＳＭＳサポートを行うＵＥの機能を伝達する旨の、ＵＥから３ＧＰＰネットワークへの通信を例証するためにいくつかの例を提供しているが、これは、限定することを意図するものでない。前述の情報を伝達することが可能な更なるやり方が更に存在している。
【００７４】
例えば、３ＧＰＰ  ＴＳ２４．００８に記載されたルーティング・エリア更新（ＲＡＵ）要求メッセージに対して、解決策Ａ乃至Ｅに示すものと同様な拡張を行うことが可能である。ＲＡＵ要求メッセージの一例を図４に記載する。ＲＡＵ要求メッセージに対する拡張は、ＰＳベースのＳＭＳサポートを行う、ＭＳの機能をネットワークに伝達するために使用することが可能である。メッセージは、ＭＳのロケーション・ファイルの更新を要求するために、又は、非ＧＰＲＳサービスのＩＭＳＩアタッチを要求するために使用することが可能である。
【００７５】
各種ＩＥのいくつかを用いて、ＲＡＵ要求メッセージにおける情報をＵＥからＳＧＳＮに伝達することが可能である。別々の４つの例をここに記載する。前述の例は限定することを意図するものでない。ＵＥからＳＧＳＮにこのメッセージを伝達するために如何なる手段を使用してもよい。以下の例には、解決策Ａ乃至解決策Ｄを付している。
【００７６】
ＲＡＵ要求サポート
解決策Ａ
前述の解決策では、新たな更なる更新タイプＩＥがＲＡＵ要求メッセージに追加される。更なる更新タイプＩＥの目的は、ＵＥのＰＳのみの機能をネットワークに提供し、それにより、ＣＳドメインを介してＳＭＳサービスを得るためにのみ、ＣＳ登録を要求する旨のＵＥの意図をネットワークが知ることが可能になることである。一実施例では、ＭＳは、ＧＰＲＳサービス及び「ＳＭＳのみのサービス」の組み合わせたルーティング・エリア更新手順を開始した場合、更なる更新タイプＩＥにおいて「ＳＭＳのみ」を示し得る。
【００７７】
更なる更新タイプＩＥの形式は、上述したように表１及び表２に示す。同じ形式は、ＲＡＵ要求メッセージにおいてＩＥを伝達するために使用することが可能である。
【００７８】
解決策Ｂ
前述の解決策では、ＲＡＵ要求メッセージにおける既存のＭＳネットワーク機能ＩＥは、ＵＥのＰＳのみの機能をネットワークに示すよう拡張される。これにより、ＣＳドメインを介してＳＭＳサービスを得るためにのみ、ＣＳ登録を要求する旨のＵＥの意図をネットワークが知ることが可能になる。
【００７９】
一実施例によれば、３ＧＰＰ  ＴＳ２４．００８のセクション１０．５．５．１２に規定されたＭＳネットワーク機能ＩＥは、ＰＳベースのＳＭＳサポート・メッセージを含めるよう構成することが可能である。
【００８０】
【表１０】
2018191325.tif 000012
表１０に示すように、ＩＥの選択されたオクテットにおける選択されたビットは、ＰＳベースのＳＭＳサポート（ＰＳＳＳ）メッセージであり得る。この例では、ビット値０は、ＭＳがＰＳベースのＳＭＳをサポートしないというメッセージを提供する。ビット値１は、ＭＳが、ＰＳベースのＳＭＳをサポートし、ＣＳドメインを介してＳＭＳサービスを受けるためにのみ、ＣＳ登録を行うというメッセージを提供する。表１０に示すＩＥは、図４に示すＲＡＵ要求メッセージに含めることが可能である。
【００８１】
解決策Ｃ
前述の解決策では、ＲＡＵ要求メッセージのＵＥネットワーク機能ＩＥの一予備ビットが、ＵＥのＰＳのみの機能をネットワークに示すために使用される。これにより、ＣＳドメインを介してＳＭＳサービスを得るためにのみ、ＣＳ登録を要求する旨のＵＥの意図をネットワークが知ることが可能になる。ＵＥネットワーク機能ＩＥへの変更は、上記段落における解決策Ｃの表５及び表６において先行して示し、説明したものと同じであり得る。
【００８２】
解決策Ｄ
前述の解決策では、ＲＡＵ要求メッセージの更新タイプＩＥの一予備ビットが、ＵＥのＰＳのみの機能をネットワークに示すために使用される。これにより、ＣＳドメインを介してＳＭＳサービスを得るためにのみ、ＣＳ登録を要求する旨のＵＥの意図をネットワークが知ることが可能になる。
【００８３】
一実施例によれば、３ＧＰＰ  ＴＳ２４．００８のセクション１０．５．５．１８に規定された更新タイプＩＥは、以下のように、ＰＳベースのＳＭＳサポート・メッセージを含めるよう構成することが可能である。
【００８４】
【表１１】
2018191325.tif 000013
【００８５】
【表１２】
2018191325.tif 000014
表１１及び表１２に示すように、オクテット１のビット３におけるビット値０は、ＭＳがＰＳベースのＳＭＳをサポートしないというメッセージを提供する。ビット値１は、ＭＳがＰＳベースのＳＭＳをサポートするというメッセージを提供する。表１１及び表１２に示すＩＥは、図４に示すＲＡＵ要求メッセージに含めることが可能である。
【００８６】
３ＧＰＰネットワーク・メッセージング
２Ｇ／３Ｇ無線ネットワークがＰＳベースのＳＭＳサポートを提供するために、ネットワークは、ＳＭＳ通信オーバ非アクセス層（ＮＡＳ）レイヤをサポートすることが可能である。ネットワークは、ＳＭＳオーバＮＡＳがＳＧＳＮによってサポートされているかの表示をＵＥ／ＭＳに供給することが可能である。
【００８７】
更に、ＧＳＭ（登録商標）ネットワークでは、ＭＳがオンに切り換えられると、国際移動体加入者識別番号（ＩＭＳＩ）アタッチ手順が実行される。前述の手順は、ＭＳをモバイル交換センタ（ＭＳＣ）及びビジタ・ロケーション・レジスタ（ＶＬＲ）と接続して、ネットワークにおいてＭＳを登録するために使用される。ＰＳベースのＳＭＳを行う機能により、ＭＳ／ＵＥは、ＭＳＣと接続する必要がもうないことがあり得る。よって、ＩＭＳＩアタッチ手順は必要でない。ＭＳがＰＳベースのＳＭＳサポートをサポートすることをネットワークが通知されると、ネットワークは次いで、何れかのＩＭＳＩアタッチ要求を拒絶することが可能である。ネットワークは、ＵＥ機能に基づき、ＰＳのみのサービス・プロビジョニングが理由でＩＭＳＩアタッチが拒絶され、よって、ＵＥは何れのＣＳ関連手順も模倣しない旨の表示をＵＥに送出することが可能である。
【００８８】
このことを実現するために、３ＧＰＰ  ＴＳ２４．００８技術仕様に規定されたアタッチ受け入れメッセージにおけるＳＧＳＮネットワーク機能サポートＩＥは、更なる情報を含めるよう拡張することが可能である。アタッチ受け入れメッセージの例を図５において提供する。解決策Ａとして表す提案された解決策は後続段落において記載している。前述の例は限定することを意図するものでない。種々のメッセージング手段は、３ＧＰＰネットワークがＭＳと通信し合ってＧＰＲＳを介したＳＭＳ（ＳＭＳオーバＮＡＳとしても表される）を行うネットワークの機能を識別することを可能にするために使用することができる。
【００８９】
解決策Ａ
前述の解決策では、ＳＧＳＮが、ＳＭＳオーバＮＡＳをサポートする場合、新たな拡張ネットワーク機能サポートＩＥを使用して、アタッチ受け入れメッセージにおいて、ＵＥに対するサポートを示すことが可能である。アタッチ受け入れメッセージにおける新たなＩＥの例示的な形式の１つを以下に記載する。
【００９０】
拡張ネットワーク機能サポートＩＥは、特定の機能がネットワークによってサポートされるか否かを示す。ＥＰＳ拡張ネットワーク機能サポートＩＥは表１３及び表１４に示すようにコード化することが可能である。
【００９１】
【表１３】
2018191325.tif 000015
【００９２】
【表１４】
2018191325.tif 000016
表１３及び表１４に示すように、オクテット１におけるビット１は、拡張ネットワーク・サポートＩＥにおけるＰＳベースのＳＭＳサポート（ＰＳＳＳ）メッセージであり得る。この例では、ビット値０は、ＳＭＳオーバＮＡＳがＳＧＳＮによってサポートされていないというメッセージを提供する。ビット値１は、ＳＭＳオーバＮＡＳがＳＧＳＮによってサポートされているというメッセージを提供する。表１３及び表１４に示すＩＥは、ＳＧＳＮからＭＳに通信されるアタッチ受け入れメッセージに含め得る。一実施例では、ネットワークは、ＧＰＲＳを介したＳＭＳの配信などの、特定の機能のサポートについてＭＳに通知するために、拡張ネットワーク・サポートＩＥを使用することが可能である。ＭＳは、ＳＭＳを得るために、アタッチ要求におけるＧＰＲＳ−ＳＭＳ表示を使用し得る。ネットワークがＧＰＲＳを介したＳＭＳの配信をサポートし、前述の配信がイネーブルされた場合、ネットワークは、拡張ネットワーク・サポートＩＥを、図５に示すアタッチ受け入れメッセージに含め、ＧＰＲＳ−ＳＭＳ表示子を設定することが可能である。
【００９３】
アタッチ受け入れメッセージを介して、ＰＳベースのＳＭＳサポートを行うネットワークの機能を伝達する旨の、ＥＰＳからＵＥへの通信を例証するために例を提供しているが、これは、限定することを意図するものでない。前述の情報を伝達することが可能な更なるやり方が更に存在している。
【００９４】
ＲＡＵ受け入れメッセージ
例えば、３ＧＰＰ  ＴＳ２４．００８のセクション９．４．１５に記載されたルーティング・エリア更新受け入れメッセージに対して、解決策Ａに示すものと同様な拡張を行うことが可能である。ＲＡＵ更新受け入れメッセージは、ＳＭＳオーバＮＡＳがＳＧＳＮによってサポートされているかを示すためにネットワークによって使用することが可能である。更に、ＩＭＳＩアタッチが、ＵＥ機能に基づき、ＰＳのみのサービス・プロビジョニングが理由で拒絶されており、したがって、ＵＥが何れのＣＳ関連手順も模倣しないということを示す。以下の拡張を、ＴＳ２４．００８におけるＲＡＵ受け入れメッセージに対して行うことが可能である。
【００９５】
ＲＡＵ受け入れメッセージは、ＲＡＵ要求メッセージに応じて、ＧＰＲＳモビリティ管理関連データをＭＳに提供するためにＭＳにネットワークによって送出される。ＴＳ２４．００８の表９．４．１５／３ＧＰＰは例を提供する。例は図６においても記載している。図６に示すＲＡＵ受け入れメッセージは、複数のＩＥＩ、列挙されたＩＥＩそれぞれのタイプ、及び３ＧＰＰ  ＴＳ２４．００８へのＩＥＩの参照を含む。各ＩＥＩの存在、形式、及び長さも、分かり得るように列挙している。
【００９６】
ＳＧＳＮが、ＳＭＳオーバＮＡＳ機能をサポートしている場合、それは、ＲＡＵ受け入れメッセージを使用して示すことが可能である。解決策Ａとして表す、提案された一解決策を後続段落に記載している。前述の例は限定することを意図するものでない。図６のＲＡＵ受け入れメッセージに列挙されたＩＥを含む種々のメッセージング手段は、３ＧＰＰネットワークがＭＳと通信して、ＧＰＲＳを介したＳＭＳ（ＳＭＳオーバＮＡＳとしても表す）を行うネットワークの機能を識別することを可能にするために使用し得る。更に、ＲＡＵ受け入れメッセージを使用して伝達された新たに規定されたＩＥも、ＧＰＲＳを介したＳＭＳを行うネットワークの機能を伝達するために使用し得る。
【００９７】
解決策Ａ
ＳＧＳＮが、ＳＭＳオーバＮＡＳ機能をサポートする場合、新たな拡張ネットワーク機能サポートＩＥを使用して、ＲＡＵ受け入れメッセージにおいて、ＵＥにそのことを示すことが可能である。ＲＡＵ受け入れメッセージにおける新たな拡張ネットワーク機能サポートＩＥの形式は、上記表１３及び表１４に関して説明したものと同じであり得る。ネットワークは更に、暗黙的な非送出、又はＧＰＲＳを介したＳＭＳ（ＧＰＲＳ−ＳＭＳ）の配信などの特定の機能のサポートについてＭＳに通知するために、拡張ネットワーク機能サポートＩＥを使用することが可能である。ＭＳは、ＳＭＳを得るためにＧＰＲＳ−ＳＭＳ表示を使用し得る。
【００９８】
ＧＭＭ原因値
ＭＳは、ＭＳＣへのＣＳアタッチなどの、ＧＰＲＳサービス及び非ＧＰＲＳサービスのアタッチのために、組み合わせたアタッチを行うことが可能である。一実施例では、ＭＳが、ＰＳベースのＳＭＳに対するサポートを示す一方で、組み合わせたアタッチを要求し、ネットワークが更に、ＳＭＳオーバＮＡＳ（すなわち、ＧＰＲＳを介したＳＭＳ）をサポートする場合、ネットワークは、ＭＳ及びネットワークがＰＳベースのＳＭＳをサポートするので、ＭＳＣへの接続が、必要でなかったので行われなかった旨のメッセージをＵＥに送出することが可能である。これは、後続段落において説明するようにＧＰＲＳモビリティ管理メッセージ（ＧＭＭ）を使用して実現することが可能である。別々の何れかの数のＧＭＭコードを使用し得る。
【００９９】
ＳＧＳＮからＭＳへのＰＳＳＳメッセージに加えて、ＧＰＲＳモビリティ管理（ＧＭＭ）メッセージをＳＧＳＮからＭＳに伝達することが可能である。ＧＭＭメッセージはＩＥにおいて伝達し得る。ＧＭＭ原因ＩＥの目的は、ＭＳからのＧＭＭ要求がネットワークによって拒絶されるかの理由を示すことである。ＭＳが、アタッチ要求メッセージ内のＰＳのみのそのサポートを示す場合に、かつ、ネットワークが、ＳＭＳオーバＧｓ（ＳＭＳオーバＮＡＳ）をサポートし、ＰＳのみの加入プロビジョニングが、ＰＳのみの強制又はＰＳのみのイネーブルに設定された場合、新たなＧＭＭ原因値を送出することにより、ＩＭＳＩアタッチを拒絶する。
【０１００】
この場合、ＧＭＭ原因ＩＥは、ＰＳのみがサポートされ、ＳＧＳＮネットワークがＳＭＳオーバＮＡＳをサポートするので、国際移動体加入者識別番号（ＩＭＳＩ）アタッチが拒絶されることを識別するために使用することが可能である。よって、上述のように、ＩＭＳＩアタッチは必要でない。ＧＭＭ原因ＩＥは、２オクテット長を有するタイプ３ＩＥである。ＧＭＭ原因値は、３ＧＰＰ  ＴＳ２４．００８のセクション１０．５．５．１４に規定されている。新たなＧＭＭ原因値の一例は表１５に、かつ、図１７に示す。
【０１０１】
【表１５】
2018191325.tif 000017
図７に示すように、ビット１乃至８が値０１１１００００を有する場合（原因値＝１１２）、ＩＭＳＩアタッチがＰＳのみのイネーブルとして拒絶される。ＳＧＳＮがＭＳの組み合わせたＭＭ手順を行い、Ｇｓアソシエーションを確立することを要求するサービスをＭＳが要求した場合、前述の原因がＭＳに送出される。原因コード「ＰＳのみのイネーブルとして拒絶されたＩＭＳＩアタッチ」を伝達することが可能である。ビット１乃至８がそれぞれ、値０１１１０００１（原因値＝１１３）を有する場合、ＩＭＳＩアタッチは、ＰＳのみの強制として拒絶され、ネットワークは、ＳＭＳオーバＧｓ（ＮＡＳ）をサポートする。前述の原因は、ＰＳドメインを介してＭＳのＨＰＬＭＮが提供することができず、提供したくないＳＭＳサービスをＭＳが要求した場合、ＭＳに送出される。このことが行われた場合、原因コード「ＰＳのみの強制、及びネットワークがＳＭＳオーバＧｓ（ＮＡＳ）をサポートすることのため（すなわち上記原因コードが理由で）拒絶されたＩＭＳＩアタッチ」が、図７に示すように提供される。ＧＭＭ原因コード１１２及び１１３は例として記載しているが、限定することを意図するものでない。ＧＰＲＳを介したＳＭＳはＭＳ及びネットワークで実現することが可能であるので、実質的に、何れかのタイプのＧＭＭ原因コードを、非ＧＰＲＳアタッチメントが行われないことを説明する情報をネットワークからＭＳに伝達するために使用することが可能である。
【０１０２】
別の例示的な実施例では、無線ネットワークにおいてパケット・サービス（ＰＳ）のみのサービス・プロビジョニングを行う方法８００を、図８のフローチャートに表すように開示する。方法は、ブロック８１０に示すように、ＭＳのＰＳのみの機能を示す移動局（ＭＳ）からの要求メッセージを汎用パケット無線サービス（ＧＦＲＳ）サポート・ノードにおいて受け取る工程と、ブロック８２０に示すように、ＳＭＳオーバ非アクセス層（ＮＡＳ）がＳＧＳＮによってサポートされているか否かを示す受け入れメッセージをＭＳにＳＧＳＮから送出する工程とを含む。要求メッセージは、アタッチ要求メッセージ、又はルーティング・エリア更新要求メッセージであり得る。同様に、受け入れメッセージは、アタッチ受け入れメッセージ又はルーティング・エリア受け入れメッセージであり得る。
【０１０３】
方法８００は、国際移動体加入者識別番号（ＩＭＳＩ）アタッチがＳＭＳに対してのみである旨のアタッチ受け入れメッセージ、又は、ルーティング・エリア更新受け入れメッセージを示す工程を更に含み得る。ＧＰＲＳモビリティ管理（ＧＭＭ）メッセージはＳＧＳＳＮからＭＳに送出することが可能である。ＧＭＭメッセージは、ＰＳのみがサポートされ、ＧＰＲＳネットワークがＳＭＳオーバＮＡＳをサポートするので、国際移動体加入者識別番号（ＩＭＳＩ）アタッチが拒絶される旨を識別することが可能である。ＧＭＭメッセージは、アタッチ受け入れメッセージ及びルーティング・エリア更新受け入れメッセージの１つにおいて送出することが可能である。
【０１０４】
方法８００は更に、アタッチ要求メッセージ又はルーティング・エリア更新要求メッセージを受け取る工程を更に含み得、アタッチ要求メッセージ又はルーティング・エリア更新要求メッセージは、ＭＳがＰＳベースＳＭＳをサポートし、ＣＳドメインを介してＳＭＳサービスを受けるためにのみ、ＣＳ登録を行うかを示すために選択されたビットをセットさせた情報要素（ＩＥ）を含む。要求メッセージは、アタッチ受け入れメッセージ及びルーティング・エリア更新受け入れメッセージの一方に含まれる更なる更新タイプ情報要素においてＭＳから受け取り得る。
【０１０５】
方法８００は更に、アタッチ受け入れメッセージ又はルーティング・エリア更新受け入れメッセージをＭＳに送出する工程を含み得、アタッチ受け入れメッセージ又はルーティング・エリア更新受け入れメッセージは、ＳＭＳオーバＮＡＳがＳＧＳＮネットワークによってサポートされているか、されていないかを識別するために、ＩＥにおける選択されたビットを使用する（ＩＥ）を備える。
【０１０６】
別の実施例では、ショート・メッセージ・サービス（ＳＭＳ）メッセージのパケット交換（ＰＳ）通信に無線ネットワークを適合させる方法９００を、図９のフローチャートにおいて表すように説明する。方法は、ＭＳがパケット交換（ＰＳ）ベースのショート・メッセージング・サービス（ＳＭＳ）をサポートし、ＣＳベースのＳＭＳサービスを受けるためにのみ、回線交換（ＣＳ）登録を行う（ブロック９１０に示す）旨を示す要求メッセージを移動局（ＭＳ）からサービング汎用パケット無線サービス（ＧＰＲＳ）サポート・ノード（ＳＧＳＮ）に送信する工程と、ＳＭＳオーバ非アクセス層（ＮＡＳ）が、ブロック９２０に示すように、ＳＧＳＮによってサポートされている旨を示す受け入れメッセージをＳＧＳＮからＭＳにおいて受け取る工程とを含む。
【０１０７】
方法９００は更に、要求メッセージを送信する工程を更に含み得、要求メッセージはアタッチ要求メッセージ及びルーティング・エリア更新要求メッセージの一方である。更なる動作は、ＰＳのみがサポートされており、ＳＧＳＮネットワークがＳＭＳオーバＮＡＳをサポートしているので（すなわち、サポートしていることが理由で）国際移動体加入者識別番号（ＩＭＳＩ）アタッチが拒絶される旨の原因コードを識別するＧＰＲＳモビリティ管理（ＧＭＭ）メッセージをＳＧＳＮから送出する工程を含み得る。
【０１０８】
方法９００において要求メッセージを送信する動作は更に、アタッチ要求メッセージ又はルーティング・エリア更新要求メッセージを送信する工程を更に含み得、アタッチ要求メッセージ又はルーティング・エリア更新要求メッセージは、ＭＳがＰＳベースＳＭＳをサポートし、ＣＳドメインを介してＳＭＳサービスを受けるためにのみ、ＣＳ登録を行うかを示すために選択されたビットをセットさせた情報要素（ＩＥ）を含む。情報要素は、アタッチ要求メッセージ及びルーティング・エリア更新要求メッセージの一方においてＵＥ又はＭＳからＳＧＳＮに伝達される更なる更新タイプ情報要素であり得る。
【０１０９】
方法９００において、ＳＧＳＮからＭＳにおいて受け入れメッセージを受け取る動作は更に、ＭＳにおいてアタッチ受け入れメッセージ又はルーティング・エリア更新受け入れメッセージを受け取る工程を更に含み得、アタッチ受け入れメッセージ又はルーティング・エリア更新受け取りメッセージは、ＳＭＳオーバＮＡＳがＳＧＳＮネットワークによってサポートされているか、サポートされていないかを識別するために、ＩＥにおける選択されたビットを使用した（ＩＥ）を含む。
【０１１０】
方法８００及び９００が、移動局を使用した例を提供する一方、これは限定することを意図するものでない。上述のように、例においてＭＳが使用されている所でユーザ装置（ＵＥ）を使用することが可能である。
【０１１１】
図１０は、ユーザ装置（ＵＥ）、移動局（ＭＳ）、モバイル無線装置、モバイル通信装置、タブレット、ハンドセット、又は他のタイプのモバイル無線装置の例示的な例証を記載する。モバイル装置は、基地局（ＢＳ）、エボルブド・ノードＢ（ｅＮＢ）、又は他のタイプの無線ワイド・エリア・ネットワーク（ＷＷＡＮ）アクセス・ポイントと通信するよう構成された１つ又は複数のアンテナを含み得る。モバイル装置は、３ＧＰＰ  ＬＴＥ、ワイマックス（ＷｉＭＡＸ。登録商標）、高速パケット・アクセス（ＨＳＰＡ）、ブルートゥース（登録商標）、ワイファイ（ＷｉＦｉ。登録商標）を含む少なくとも１つの無線通信標準を使用して通信するよう構成することが可能である。モバイル装置は、無線通信標準毎の別個のアンテナ、又は、複数の無線通信標準の共有アンテナを使用して通信することが可能である。モバイル装置は、無線ローカル・エリア・ネットワーク（ＷＬＡＮ）、無線パーソナル・エリア・ネットワーク（ＷＰＡＮ）、及び／又は無線ワイド・エリア・ネットワーク（ＷＷＡＮ）において通信することが可能である。
【０１１２】
別の実施例では、ショート・メッセージ・サービス（ＳＭＳ）メッセージのパケット交換（ＰＳ）通信に適合されたユーザ装置（ＵＥ）及び／又は移動局（ＭＳ）と通信するよう構成されたサービング汎用パケット無線サービス（ＧＰＲＳ）サポート・ノード（ＳＧＳＮ）を開示している。ＳＧＳＮは、図２に示すように、ＳＧＳＮにおいて動作可能なＰＳサポート・モジュールを備える。ＰＳサポート・モジュールは、ＵＥ又はＭＳがＰＳベースのＳＭＳをサポートし、ＣＳドメインを介してＳＭＳサービスを受けるためにのみ、回線交換（ＣＳ）登録を行う旨を示す要求メッセージをＵＥ又はＭＳから受け取り、ＳＭＳオーバ非アクセス層（ＮＡＳ）がＳＧＳＮによってサポートされる旨を示す受け入れメッセージをＵＥ又はＭＳに送出するよう構成される。要求メッセージは、アタッチ要求メッセージ及びルーティング・エリア更新要求メッセージの一方であり得る。受け入れメッセージは、アタッチ受け入れメッセージ及びルーティング・エリア更新受け入れメッセージの一方であり得る。
【０１１３】
一実施例では、ＰＳサポート・モジュールは、ＰＳのみがサポートされており、ＳＧＳＮネットワークがＳＭＳオーバＮＡＳをサポートしているので（すなわち、サポートしていることが理由で）国際移動体加入者識別番号（ＩＭＳＩ）アタッチが拒絶される旨の原因コードを識別するＧＰＲＳモビリティ管理（ＧＭＭ）メッセージを送信するよう更に構成することが可能である。
【０１１４】
ＵＥ又はＭＳから要求メッセージを受け取る動作は、アタッチ要求メッセージ又はルーティング・エリア更新要求メッセージを受け取る工程を更に含み得、アタッチ要求メッセージ又はルーティング・エリア更新要求メッセージは、ＵＥ又はＭＳがＰＳベースのＳＭＳをサポートし、ＣＳドメインを介してＳＭＳサービスを受けるためにのみ、ＣＳ登録を行うかを示すために選択されたビットをセットさせた更なる更新タイプ情報要素（ＩＥ）を含む。
【０１１５】
受け入れメッセージを送出する動作は更に、ＵＥ又はＭＳにアタッチ受け入れメッセージ又はルーティング・エリア更新受け入れメッセージを送出する工程を含み得、アタッチ受け入れメッセージ又はルーティング・エリア更新受け入れメッセージは、ＳＭＳオーバＮＡＳがＳＧＳＮネットワークによってサポートされているか、サポートされていないかを識別するためにＩＥにおける選択されたビットを使用した（ＩＥ）を含む。
【０１１６】
図１０は、ユーザ装置（ＵＥ）、移動局（ＭＳ）、モバイル無線装置、モバイル通信装置、タブレット、ハンドセット、又は他のタイプのモバイル無線装置の例示的な例証を記載する。モバイル装置は、基地局（ＢＳ）、エボルブド・ノードＢ（ｅＮＢ）、又は他のタイプの無線ワイド・エリア・ネットワーク（ＷＷＡＮ）アクセス・ポイントと通信するよう構成された１つ又は複数のアンテナを含み得る。モバイル装置は、３ＧＰＰ  ＬＴＥ、ワイマックス（ＷｉＭＡＸ。登録商標）、高速パケット・アクセス（ＨＳＰＡ）、ブルートゥース（登録商標）、ワイファイ（ＷｉＦｉ。登録商標）を含む少なくとも１つの無線通信標準を使用して通信するよう構成することが可能である。モバイル装置は、無線通信標準毎の別個のアンテナ、又は、複数の無線通信標準の共有アンテナを使用して通信することが可能である。モバイル装置は、無線ローカル・エリア・ネットワーク（ＷＬＡＮ）、無線パーソナル・エリア・ネットワーク（ＷＰＡＮ）、及び／又は無線ワイド・エリア・ネットワーク（ＷＷＡＮ）において通信することが可能である。
【０１１７】
図１０は更に、モバイル装置との間のオーディオの入出力に使用することが可能な１つ又は複数のスピーカ、及びマイクロフォンの例証を提供する。表示画面は、液晶表示（ＬＣＤ）画面、又は、有機発光ダイオード（ＯＬＥＤ）ディスプレイなどの他のタイプの表示画面であり得る。表示画面はタッチ画面として構成することが可能である。タッチ画面は、静電容量タイプ、抵抗タイプ、又は別のタイプのタッチ画面技術を使用し得る。アプリケーション・プロセッサ及びグラフィクス・プロセッサは、処理及び表示機能を提供するために内部メモリに結合することが可能である。不揮発メモリ・ポートも、ユーザに対してデータ入出力オプションを提供するために使用することが可能である。不揮発メモリ・ポートは、モバイル装置のメモリ機能を拡張するために使用することもできる。キーボードは、モバイル装置と一体化させるか、又はモバイル装置と無線接続して更なるユーザ入力を提供し得る。仮想キーボードもタッチ画面を使用して提供することができる。
【０１１８】
本明細書に記載された機能単位の多くは、それらの実現の独立性をより具体的に強調するためにモジュールとしてラベリングされている。例えば、モジュールは、ロジック・チップ、トランジスタ、又は他の個別部品などの既成の半導体、カスタムＶＬＳＩ回路又はゲート・アレイを備えるハードウェア回路として実現し得る。モジュールは更に、フィールド・プログラマブル・アレイ、プログラマブル・アレイ・ロジック、プログラマブル・ロジック装置等などのプログラマブル・ハードウェア装置において実現し得る。
【０１１９】
モジュールは更に、各種プロセッサによる実行のためにソフトウェアで実現し得る。例えば、実行可能なコードの識別されたモジュールは、例えばオブジェクト、手順、又は機能として編成し得る１つ又は複数の物理的若しくは論理的なコンピュータ命令ブロックを含み得る。しかし、識別された実行可能モジュールは、物理的に一緒に配置されていなくてよい一方、論理的に併せて結合されると、モジュールを含み、モジュールの記述された目的を達成する、別々の場所に記憶された別個の命令を含み得る。
【０１２０】
実際に、実行可能なコード・モジュールは単一の命令又は多くの命令であり得、別々のいくつかのコード・セグメントにわたり、別々のプログラム間で、かつ、いくつかのメモリ装置にわたって分散し得る。同様に、動作データを本明細書ではモジュール内で識別し、例証し得、何れかの適切な形式で実施し、何れかの適切なタイプのデータ構造内に編成し得る。動作データは単一のデータ・セットとして集約し得、又は別々の記憶装置を含む別々の場所にわたって分散し得、少なくとも部分的には、単に、システム上又はネットワーク上の電子信号として存在し得る。モジュールは、所望の機能を行うよう動作可能なエージェントを含み、受動型又は能動型であり得る。
【０１２１】
種々の手法、又はそれらの特定の局面若しくは部分は、フロッピー（登録商標）・ディスク、ＣＤ−ＲＯＭ、ハード・ドライブ、又は何れかの他のマシン読み取り可能な記憶媒体などの有形媒体において実施されたプログラム・コード（すなわち、命令）の形式をとり得、プログラム・コードが、コンピュータなどのマシンにロードされ、上記マシンによって実行されると、マシンは種々の手法を実施する装置になる。プログラム可能なコンピュータ上のプログラム・コード実行の場合、コンピュータ装置は、プロセッサと、プロセッサによって読み取り可能な記憶媒体（揮発性メモリ及び不揮発性メモリ、並びに／又は記憶素子を含む）と、少なくとも１つの入力装置と、少なくとも１つの出力装置とを含み得る。本明細書及び特許請求の範囲記載の種々の手法を実現又は利用し得る１つ又は複数のプログラムは、アプリケーション・プログラミング・インタフェース（ＡＰＩ）、再使用可能な制御部等を使用し得る。前述のプログラムは、コンピュータ・システムと通信するために高水準手続型オブジェクト指向プログラミング言語で実現し得る。しかし、プログラムは、必要な場合、アセンブラ又はマシン言語で実現し得る。何れの場合にも、言語は、コンパイラ又はインタープリタ言語であり得、ハードウェア実現形態と組み合わせることができる。
【０１２２】
「一実施例」又は「実施例」に対する本明細書を通じた言及は、上記実施例に関して説明した特定の構成、構造、又は特性が本発明の少なくとも１つの実施例に含まれているということを意味している。よって、本明細書を通じて種々の箇所において「一実施例において」又は「実施例において」との句の記載は、必ずしも全てが同じ実施例を表している訳でない。
【０１２３】
本明細書及び特許請求の範囲で使用される複数の項目、構造要素、構成要素、及び／又は材料は便宜上、共通のリストにおいて提示し得る。しかし、前述のリストは、リストの各構成要素が、別個かつ一意の構成要素として個々に識別されるかのように解されるべきである。よって、前述のリストの個々の構成要素は、別途明記することなく、共通のグループにおけるそれらの提示に単に基づいて同じリストの何れかの他の構成要素とデファクトで同等であるとみなされるべきでない。更に、本発明の種々の実施形態及び実施例は、それらの種々の構成部分の代替策とともに本明細書及び特許請求の範囲において表し得る。前述の実施形態、実施例、及び代替策は、互いとデファクトで同等であるとみなされるべきでない一方、本発明の別個かつ自律的な表現として解される。
【０１２４】
更に、説明された特徴、構造、又は特性は、１つ又は複数の実施例において何れかの適したやり方で組み合わせ得る。以下の説明では、本発明の実施例の詳細な理解をもたらすために、材料、留め具、サイズ、長さ、幅、形状等などの特定の数多くの詳細を提供する。しかし、特定の詳細の１つ又は複数なしで、又は、他の方法、構成部分、材料等により、本発明を実施することが可能であるということを当業者は認識するであろう。場合によっては、本発明の局面をわかりにくくすることを避けるために周知の構造、材料、又は動作を詳細に示していないか、又は説明していない。
【０１２５】
上記例は特定の１つ又は複数の適用分野における本発明の原理を例証しているが、発明の才を発揮することなく、かつ、本発明の原理及び概念から逸脱することなく、実現形態の、形式、使用、及び詳細において数多くの修正を行うことが可能である。よって、以下の特許請求の範囲の記載以外に本発明を限定することを意図するものでない。  
【図１】
2018191325.tif 000018
【図２】
2018191325.tif 000019
【図３】
2018191325.tif 000020
【図４】
2018191325.tif 000021
【図５】
2018191325.tif 000022
【図６】
2018191325.tif 000023
【図７】
2018191325.tif 000024
【図８】
2018191325.tif 000025
【図９】
2018191325.tif 000026
【図１０】
2018191325.tif 000027
【外国語明細書】
2018191325000001.pdf